(57)【要約】【課題】運搬時における作業者の負担が軽減されるうえ、「ゴト」を行うことが困難な遊技機の提供。【解決手段】カバー部材７に設けた鍔部７２で、カバー部材７と長孔１８との間の隙間１９を覆って隠蔽し、カバー部材７を長孔１８にぴったりさせる必要をなくし、運搬の際に作業者の手と接触する接触面８８の面積を充分大きくし、且つ、接触面８８の形状を丸みを帯びたものにする。これにより、重いスロットマシン１を運ぶ作業者の手が強く押圧されないようにし、運搬の際の苦痛から作業者を解放し、作業者の負担を軽減する。また、カバー部材７で長孔１８を塞ぐことにより、長孔１８から異物を入れる「ゴト」を防止する。【選択図】　　図５
2004049347.tif 000002
【特許請求の範囲】
【請求項１】
遊技機用の筐体の側板に、運搬用の手掛かりを形成するための長孔と、前記筐体の内部を密封状態とするために前記筐体の外側から前記長孔に遊嵌されるカバー部材とが設けられ、
前記カバー部材は、一端が塞がれて袋部を形成し、他端が開口され、且つ途中に角部を有し、全体が略Ｌ字状に折れ曲がった本体と、前記他端近傍の側面から突出するとともに前記開口の周縁から略直角に外方に向かって設けられた鍔部とを備え、
前記長孔は、略Ｌ字状に折れ曲がったカバー部材の角部が挿通可能な寸法を有し、
前記カバー部材の前記鍔部は、前記筐体の側面に沿って配置されるとともに、前記カバー部材の前記本体と前記長孔の内周面との間に形成される隙間を覆って隠蔽するものであることを特徴とする遊技機。
【請求項２】
前記カバー部材は、塞がれた一端側の袋部に前記筐体の内側面に固定される被固定部が設けられたものであることを特徴とする請求項１記載の遊技機。
【請求項３】
前記カバー部材は、複数に分割された部品を組み合わせたものであり、前記複数に分割された部品として、略Ｌ字状の開口部を有する略容器状部品と、前記略Ｌ字状の開口部を塞ぐ蓋部品とを有するものであることを特徴とする請求項１又は２記載の遊技機。
【請求項４】
前記カバー部材は、全体が一体に成形されたものであることを特徴とする請求項１又は２記載の遊技機。
【請求項５】
前記カバー部材の上向きとなった上面と、前記筐体の前記長孔の下向きとなった下面とは、前記カバー部材を前記長孔に遊嵌させた状態では、互いに面接触していることを特徴とする請求項１乃至４のいずれかに記載の遊技機。
【請求項６】
前記長孔の内周面と、前記筐体の前記側板の内側面とが交差する部分は、少なくとも前記長孔の下向きとなった下面の端縁を含む部分にアールが付けられて曲面となっていることを特徴とする請求項１乃至５のいずれかに記載の遊技機。
【請求項７】
前記長孔の内周面と、前記筐体の前記側板の内側面とが交差する部分は、少なくとも前記長孔の下向きとなった下面の端縁を含む部分が凹まされて外側へ向かって拡張されていることを特徴とする請求項１乃至５のいずれかに記載の遊技機。
【請求項８】
前記筺体として正面側に開口する筺形の本体キャビネットを備え、
前記本体キャビネットの開口部を開閉自在に塞ぐ前扉と、
前記複数の回転リール及びこれらの回転リールを回転させるための駆動モータが設けられたリールユニットと、
前記回転リール及びホッパーユニットの作動を制御するための主基板と、
前記本体キャビネットに設けられた装置及びユニットに電力の供給を行う電源装置とが設けられ、
前記本体キャビネットには、当該内部空間を上下に仕切る中板が設けられるとともに、この中板の上方及び下方にそれぞれ収納空間としての上段部及び下段部が形成され、
前記前扉は、前記上段部及び前記下段部に応じて、前記上段部側の開口部を開閉する上部前扉と、前記下段部側の開口部を開閉する下部前扉とに分割され、
前記長孔は、前記上段部側に設けられ、
前記リールユニット及び主基板と、少なくとも前記リールユニット及び主基板を支持する支持体とを備えた交換ユニットが設けられ、この交換ユニットが前記上段部の内部に着脱可能に設置されていることを特徴とする請求項１乃至７のいずれかに記載の遊技機。
【請求項９】
遊技機用の筐体の側板に、運搬用の手掛かりを形成するための長孔と、前記筐体の内部を密封状態とするために前記筐体の内側から前記長孔に遊嵌されるカバー部材とが設けられ、
前記カバー部材は、一端が塞がれて袋部を形成し、他端が開口され、且つ途中に角部を有し、全体が略Ｌ字状に折れ曲がった本体を備え、
前記本体の開口された他端は、当該他端の外周面と前記長孔の内周面とが密着するように、前記長孔に嵌合していることを特徴とする遊技機。
【発明の詳細な説明】
【０００１】
【発明の属する技術分野】
本発明は、遊技機用の筐体の側板に、運搬用の手掛かりが形成されている遊技機に関する。
【０００２】
【従来の技術】
従来から、パチンコ遊技機やスロットマシン等の遊技機が利用されている。このうち、スロットマシンは、回転駆動させた複数の回転リールを適宜停止させた際に、これらの回転リールに表示された図柄が特定の組合せとなったときに当選とする遊技機である。
また、遊技機としては、正面側に開口する筺体である本体キャビネットの内部に、遊技のために装置や機構を設けたものが一般的である。
【０００３】
例えば、スロットマシンとしては、筺形の本体キャビネットの内部に、前述の回転リールを有するリールユニット、遊技用のメダルを貯めておくホッパーユニット、及び、リールユニットやホッパーユニット等の動作を制御するための基板等の内部装置を設置したものが一般的である。
【０００４】
ここで、前述のようなスロットマシンやパチンコ遊技機等の遊技機においては、ビッグボーナス等の役に当選した際、その当選を盛り上げるために、色鮮やかな照明の点滅やファンファーレ等の効果音を利用した演出が行われている。そして、このような演出は、遊技機の新規開発とともに進歩している。演出の進歩により、遊技機には、新たな演出を行う新たなデバイスが追加され、これにより、遊技機は、その重量がますます増える傾向にある。
【０００５】
現在の遊技機は、把手やハンドル等の手掛かりがない場合には、もはや運搬が困難となる程、重いものとなっている。このため、遊技機の本体キャビネットの両側に設けられた側板には、当該側板を貫通する長孔が設けられている。これらの長孔は、遊技機を運搬する際に、手が掛けられる手掛かりとして利用されるものである。これにより、重い遊技機を運搬するための便宜が図られている。
【０００６】
【発明が解決しようとする課題】
前述のような遊技機では、運搬の際に利用する手掛かりが、側板を貫通する単なる長孔であり、運搬する作業者の手に当たる接触面は、その形状が角張ったものとなっているうえ、面積を充分確保することが困難となっている。このため、遊技機がこれ以上重くなると、遊技機の重量により作業者の手が強く押圧され、運搬の際に苦痛を感じる等、作業者の負担が増えるという問題点がある。
また、長孔を通じて遊技機の内部と外部とが連通しているので、長孔から異物を入れて遊技機を不正に操作する不正行為、いわゆる、「ゴト」が行われやすいという問題点もある。
【０００７】
そこで、各請求項にそれぞれ記載された各発明は、上記した従来の技術の有する問題点に鑑みてなされたものであり、その目的とするところは、運搬時における作業者の負担が軽減されるうえ、「ゴト」を行うことが困難な遊技機を提供しようとするものである。
【０００８】
【課題を解決するための手段】
各請求項にそれぞれ記載された各発明は、上記した各目的を達成するためになされたものであり、各発明の特徴点を図面に示した発明の実施の形態を用いて、以下に説明する。
なお、符号は、発明の実施の形態において用いた符号を示し、本発明の技術的範囲を限定するものではない。
【０００９】
（請求項１）
（特徴点）
請求項１記載の発明は、次の点を特徴とする。
すなわち、請求項１記載の発明は、遊技機（１）用の筐体（１０）の側板（１３）に、運搬用の手掛かりを形成するための長孔（１８）と、前記筐体（１０）の内部を密封状態とするために前記筐体（１０）の外側から前記長孔（１８）に遊嵌されるカバー部材（７）とが設けられ、前記カバー部材（７）は、一端が塞がれて袋部（７３Ａ）　を形成し、他端が開口され、且つ途中に角部（７１Ａ）　を有し、全体が略Ｌ字状に折れ曲がった本体（７１）と、前記他端近傍の側面から突出するとともに前記開口の周縁から略直角に外方に向かって設けられた鍔部（７２）とを備え、前記長孔（１８）は、略Ｌ字状に折れ曲がったカバー部材（７）の角部（７１Ａ）　が挿通可能な寸法を有し、前記カバー部材（７）の前記鍔部（７２）は、前記筐体（１０）の側面に沿って配置されるとともに、前記カバー部材（７）の前記本体（７１）と前記長孔（１８）の内周面（１８Ａ）　との間に形成される隙間（１９）を覆って隠蔽するものであることを特徴とする。
【００１０】
（作用）
本発明によれば、カバー部材（７）に設けた鍔部（７２）がカバー部材（７）と長孔（１８）との間の隙間（１９）を覆って隠蔽するので、カバー部材（７）は、長孔（１８）に挿通できれば、当該長孔（１８）にぴったりなものとする必要がなく、運搬の際に作業者の便宜を図れるように、その寸法や形状を適宜設定・選択することができる。例えば、カバー部材（７）の表面のうち、運搬の際に作業者の手と接触する接触面（８８）の面積が充分大きくなるように設定し、かつ、当該接触面（８８）の形状を丸みを帯びたものにすることができる。これにより、遊技機（１）がさらに重くなっても、遊技機（１）の重量により作業者の手が強く押圧されることがなく、運搬の際の苦痛から作業者が解放され、作業者の負担が軽減される。
また、カバー部材（７）により長孔（１８）が塞がれ、遊技機（１）の内部が密封されるので、長孔（１８）から異物を入れることができず、遊技機（１）内への異物挿入による不正行為が防止され、いわゆる、「ゴト」を行うことが困難となる。
【００１１】
（請求項２）
（特徴点）
請求項２記載の発明は、前述した請求項１に記載の発明において、次の特徴点を備えているものである。
すなわち、請求項２記載の発明は、前記カバー部材（７）の塞がれた一端側の袋部（７３Ａ）　に前記筐体（１０）の内側面に固定される被固定部（７５）を設けたことを特徴とする。
【００１２】
（作用）
本発明によれば、カバー部材（７）の被固定部（７５）が筐体（１０）の内部に配置され、しかも、カバー部材（７）の鍔部（７２）でカバー部材（７）と長孔（１８）との間の隙間（１９）を覆って隠蔽するので、筐体（１０）の開口を開閉する扉（４０）を開けなければ、カバー部材（７）は、筐体（１０）から取り外すことが困難となる。これにより、長孔（１８）は、簡単には開放できず、そこから異物を入れることも容易に行えなくなるので、この点からも、遊技機（１）内への異物挿入による不正行為が防止され、いわゆる、「ゴト」を行うことが困難となる。
【００１３】
（請求項３）
（特徴点）
請求項３記載の発明は、前述した請求項１又は２に記載の発明において、次の特徴点を備えているものである。
すなわち、請求項３記載の発明は、前記カバー部材（７）が、複数に分割された部品（７８Ａ，　７８Ｂ）を組み合わせたものであり、前記複数に分割された部品（７８Ａ，　７８Ｂ）として、略Ｌ字状の開口部（７７）を有する略容器状部品（７Ａ）と、前記略Ｌ字状の開口部（７７）を塞ぐ蓋部品（７Ｂ）とを有するものであることを特徴とする。
【００１４】
（作用）
本発明によれば、略Ｌ字状の開口部（７７）を有する略容器状部品（７Ａ）と、この略Ｌ字状の開口部（７７）を塞ぐ蓋部品（７Ｂ）とにカバー部材（７）を分割できるので、金型を利用する射出成形法等の製造法を採用するにあたり、製造すべき成形品を適宜分割することにより、アンダーカット等の製造困難な部位を解消することができる。
このため、カバー部材（７）は、その寸法や形状の設定範囲及び選択範囲を広くでき、運搬の際に作業者の手と接触する接触面（８８）の面積を充分大きく設定でき、かつ、当該接触面（８８）の形状として、丸みを帯びたものを選択でき、これにより、運搬の際に作業者に苦痛を感じさせないカバー部材（７）を実現でき、作業者の負担の軽減が確実に行えるようになる。
【００１５】
（請求項４）
（特徴点）
請求項４記載の発明は、前述した請求項１又は２に記載の発明において、次の特徴点を備えているものである。
すなわち、請求項４記載の発明は、前記カバー部材（７）として、全体が一体に成形されたものを採用したことを特徴とする。
【００１６】
（作用）
本発明によれば、全体が一体に成形されたカバー部材（７）を採用したので、カバー部材（７）を複数の部品に分割する場合と異なり、カバー部材（７）を組み立てる作業を行う必要がなく、カバー部材（７）の製造工程の簡略化が図れ、しかも、ブロー成形法等の製造法で製造することにより、カバー部材（７）の大量生産が可能となり、カバー部材（７）の製造コスト、ひいては遊技機の製造コストの低減を図ることができるようになる。
【００１７】
（請求項５）
（特徴点）
請求項５記載の発明は、前述した請求項１乃至４のいずれかに記載の発明において、次の特徴点を備えているものである。
すなわち、請求項５記載の発明は、前記カバー部材（７）の上向きとなった上面（７０Ｂ）　と、前記筐体（１０）の前記長孔（１８）の下向きとなった下面（１８Ｂ）　とは、前記カバー部材（７）を前記長孔（１８）に遊嵌させた状態では、互いに面接触していることを特徴とする。
【００１８】
（作用）
本発明によれば、重い遊技機（１）を運搬する際に、遊技機（１）の重量は、カバー部材（７）を介して作業者の手に伝達される。ここで、カバー部材（７）の上面（７０Ｂ）　と、長孔（１８）の下面（１８Ｂ）　とが面接触しているので、遊技機（１）の重量により大きな押圧力がカバー部材（７）に加わっても、カバー部材（７）が変形したりせず、カバー部材（７）の損傷が未然に防止される。
【００１９】
（請求項６）
（特徴点）
請求項６記載の発明は、前述した請求項１乃至５のいずれかに記載の発明において、次の特徴点を備えているものである。
すなわち、請求項６記載の発明は、前記長孔（１８）の内周面（１８Ａ）　と、前記筐体（１０）の前記側板（１３）の内側面（１３Ａ）　とが交差する部分は、少なくとも前記長孔（１８）の下向きとなった下面の端縁を含む部分にアールが付けられて曲面となっていることを特徴とする。
【００２０】
（作用）
本発明によれば、角部（７１Ａ）　が略Ｌ字状に折れ曲がったカバー部材（７）を採用しても、前述のようなアールが筐体（１０）側の長孔（１８）に形成され、当該長孔（１８）の内側端縁部分における内法が拡張されるので、カバー部材（７）の他の部分よりも断面寸法が大きい角部（７１Ａ）　が長孔（１８）全体を通過でき、カバー部材（７）の長孔（１８）への挿通作業が容易になる。
【００２１】
（請求項７）
（特徴点）
請求項７記載の発明は、前述した請求項１乃至６のいずれかに記載の発明において、次の特徴点を備えているものである。
すなわち、請求項７記載の発明は、前記長孔（１８）の内周面（１８Ａ）　と、前記筐体（１０）の前記側板（１３）の内側面（１３Ａ）　とが交差する部分は、少なくとも前記長孔（１８）の下向きとなった下面（１８Ｂ）　の端縁を含む部分が凹まされて外側へ向かって拡張されていることを特徴とする。
【００２２】
（作用）
本発明によれば、請求項６記載の発明と同様に、角部（７１Ａ）　が略Ｌ字状に折れ曲がったカバー部材（７）を採用しても、前述のように凹まされた部分が筐体（１０）側の長孔（１８）に形成され、当該長孔（１８）の内側端縁部分における内法が拡張されるので、カバー部材（７）の他の部分よりも断面寸法が大きい角部（７１Ａ）　が長孔（１８）全体を通過でき、カバー部材（７）の長孔（１８）への挿通作業が容易になる。
【００２３】
（請求項８）
（特徴点）
請求項８記載の発明は、前述した請求項１乃至７のいずれかにおいて、次の特徴点を備えているものである。
すなわち、請求項８記載の発明は、前記筺形として正面側に開口する筺形の本体キャビネット（１０）を備え、前記本体キャビネット（１０）の開口部（１１）を開閉自在に塞ぐ前扉（３０，　４０）と、前記複数の回転リール（２４）及びこれらの回転リール（２４）を回転させるための駆動モータが設けられたリールユニット（２２）と、前記回転リール（２４）及びホッパーユニット（３）の作動を制御するための主基板と、前記本体キャビネット（１０）に設けられた装置及びユニットに電力の供給を行う電源装置とが設けられ、前記本体キャビネット（１０）には、当該内部空間を上下に仕切る中板（１６）が設けられるとともに、この中板（１６）の上方及び下方にそれぞれ収納空間としての上段部（１０Ａ）　及び下段部（１０Ｂ）　が形成され、前記前扉は、前記上段部（１０Ａ）　及び前記下段部（１０Ｂ）　に応じて、前記上段部（１０Ａ）　側の開口部（１１Ａ）　を開閉する上部前扉（３０）と、前記下段部（１０Ｂ）　側の開口部（１１Ｂ）　を開閉する下部前扉　（４０）　とに分割され、前記長孔（１８）は、前記上段部（１０Ａ）　側に設けられ、前記リールユニット（２２）及び主基板と、少なくとも前記リールユニット（２２）及び主基板を支持する支持体（２１）とを備えた交換ユニット（２０）が設けられ、この交換ユニット（２２）が前記上段部（１０Ａ）　の内部に着脱可能に設置されていることを特徴とする。
【００２４】
（作用）
本発明によれば、交換ユニット（２０）、換言すれば、スロットマシン（１）のうち遊技を担当する遊技担当部分が分離可能となるので、遊技担当部分となる交換ユニット（２０）のみが交換可能な分離型スロットマシンが得られるようになる。このため、交換の必要のない部分はそのまま残しておくことができることから交換費用がかからず、加えて省資源、リサイクルにも貢献することができる。
また、遊技担当部分である交換ユニット（２０）を収納する本体キャビネット（１０）の上段部（１０Ａ）　の開口部（１１Ａ）　は、上部前扉（３０）で塞がれるようになり、且つ、長孔（１８）は、カバー部材（７）で塞がれるようになり、上段部（１０Ａ）　が完全に閉鎖されることとなる。このため、遊技機（１）の管理者以外の者が遊技担当部分である交換ユニット（２０）に触れることが不可能となり、上段部（１０Ａ）　内への異物挿入による不正行為も防止され、この点からも、いわゆる、「ゴト」の防止をより一層図ることが可能となる。
【００２５】
（請求項９）
（特徴点）
請求項９記載の発明は、次の特徴点を備えているものである。
すなわち、請求項９記載の発明は、遊技機（１）用の筐体（１０）の側板（１３）に、運搬用の手掛かりを形成するための長孔（１８）と、前記筐体（１０）の内部を密封状態とするために前記筐体（１０）の内側から前記長孔（１８）に嵌め込まれるカバー部材（９）とが設けられ、前記カバー部材（９）は、一端（９３）が塞がれて袋部（９３Ａ）　を形成し、他端（９４）が開口され、且つ途中に角部（９１Ａ）　を有し、全体が略Ｌ字状に折れ曲がった本体（９１）を備え、前記本体（９１）の開口された他端（９４）は、当該他端（９４）の外周面（９０Ａ）　と前記長孔（１８）の内周面（１８Ａ）　とが密着するように、前記長孔（１８）に嵌合していることを特徴とする。
【００２６】
（作用）
本発明によれば、カバー部材（９）を形成する本体（９１）の前記他端（９４）が長孔（１８）にぴったりと嵌合するので、カバー部材（９）の外周面（９０Ａ）　と長孔（１８）の内周面（１８Ａ）　との間の隙間が形成されず、これより、カバー部材（９）で長孔（１８）が閉鎖され、遊技機（１）の内部が密封される。このため、長孔（１８）から異物を入れることができず、遊技機（１）内への異物挿入による不正行為が防止され、いわゆる、「ゴト」を行うことが困難となる。
ここで、カバー部材を筐体（１０）の内側から長孔（１８）に嵌め込むようにしたので、カバー部材（９）の角部（９１Ａ）　を長孔（１８）に挿通させる必要がなく、その他端（９４）を長孔（１８）に嵌め込むことができればよく、カバー部材（９）は、寸法や形状についての設定範囲及び選択範囲が広がる。そして、例えば、運搬の際に作業者の手と接触するカバー部材（９）の接触面（８８）の面積を充分大きく設定し、かつ、当該接触面（８８）の形状として、丸みを帯びたものを選択することにより、運搬の際に作業者に苦痛を感じさせないカバー部材（９）を実現でき、作業者の負担の軽減が確実に行えるようになる。
【００２７】
【発明の実施の形態】
本発明の実施の形態を図面に基づき説明する。
（図面の説明）
図１乃至図６は、本発明の実施の一形態を示すものである。図１は本実施形態に係るスロットマシンの全体を示す斜視図、図２及び図３は前記スロットマシンを示す分解斜視図、図４は前記本実施形態に係る筐体としての本体キャビネットを示す一部破断した斜視図、図５は本実施形態に係るカバー部材を示す断面図、図６は本実施形態に係るカバー部材を示す分解斜視図である。
【００２８】
本実施形態に係る遊技機であるスロットマシン１は、図１乃至図３に示すように、正面側に開口部１１を有する筐状の本体キャビネット１０と、本体キャビネット１０の内部に着脱自在に設けられる交換ユニット２０と、本体キャビネット１０の開口部１１を開閉する前扉３０，４０とを備えている。開口部１１を開閉する前扉は、上部前扉３０と下部前扉４０とに分割されている。すなわち、開口部１１の上半分である開口部１１Ａ　を開閉可能に塞ぐ上部前扉３０と、開口部１１の下半分である開口部１１Ｂ　を開閉可能に塞ぐ下部前扉４０とに分割されている。
【００２９】
（本体キャビネット１０）
本体キャビネット１０は、底部に配置された底板１２、両側に配置された一対の側板１３、頂部に配置された天板１４及び裏側に配置された裏板１５を有する筺体である。本体キャビネット１０の高さ方向における略中央部分には、一対の側板１３の間に水平に架け渡された中板１６が設けられている。そして、この中板１６の上方及び下方にそれぞれ収納空間としての上段部１０Ａ　及び下段部１０Ｂ　が形成されている。下段部１０Ｂ　には、換言すると、中板１６の下面には電源ユニット２が設けられ、底板１２にはホッパーユニット３が固定されている。また、左方の側板１３の正面側の端縁には、下部前扉４０を回動自在に支持する回動支持部１７が設けられている。
【００３０】
ここで、電源ユニット２は、中板１６の下面に、取り付け板等を介して取り付けられている。電源ユニット２には、図示しない電源装置と、遊技店の操作員が種々の設定を行うために、図示しない設定用操作卓とが設けられている。
電源ユニット２及びホッパーユニット３は、異なる交換ユニット２０に対しても共通に利用できるものである。換言すれば、交換ユニット２０を他の種類の交換ユニット２０に交換するにあたり、電源ユニット２及びホッパーユニット３は、別のものへの交換が不要となっている。
【００３１】
また、本体キャビネット１０の両側に設けられた側板１３の各々には、運搬用の手掛かりを形成するための長孔１８が設けられている。長孔１８の各々には、本体キャビネット１０の内部を密封状態とするために、後で詳述するカバー部材７が遊嵌されている。
【００３２】
（交換ユニット２０）
交換ユニット２０は、図３に示すように、種々の部品を設置あるいは固定するための支持体としての枠体２１と、この枠体２１に固定されたリールユニット２２と、各種の電子回路が形成されている基板ユニット２３とを備えたものである。
このうち、リールユニット２２は、周囲に複数の図柄を表示した複数の回転リール２４と、これらの回転リール２４を回転駆動する図示しない駆動モータとを有している。また、基板ユニット２３には、スロットマシン１の遊技動作等を制御するための主基板と、各種演出を行うための副基板とが設けられている。
【００３３】
ここで、本体キャビネット１０に設けられた各側板１３の内側の面には、交換ユニット２０の枠体２１を係止可能な固定装置５が設けられている。交換ユニット２０は、本体キャビネット１０の中板１６の上に載置され、この状態で固定装置５に係止されることにより、本体キャビネット１０の上段部１０Ａ　の内部に収納・固定されるものである。そして、固定装置５は、所定の操作が行われることにより、本体キャビネット１０との係止が解除されるようになっている。固定装置５は、所定の操作が行われることにより、本体キャビネット１０との係止が解除可能となっている。本体キャビネット１０は、固定装置５による係止が解除されると、本体キャビネット１０から取り外して分離することが可能となっている。また、交換ユニット２０の枠体２１には、上部前扉３０を回動自在に支持する回動支持部２５が設けられている。この回動支持部２５により、交換ユニット２０は、上部前扉３０が装着された状態で、本体キャビネット１０に対して着脱することが可能となっている。
【００３４】
（上部前扉３０）
上部前扉３０は、図２及び図３に示すように、交換ユニット２０の枠体２１に一端縁側が回動自在に支持され、且つ、他端縁側がラッチ装置３１によりロック可能となった扉体である。また、上部前扉３０は、図１乃至図３に示すように、回転リール２４の図柄を正面側から見るために、略中央部に形成された図柄表示窓３２と、この図柄表示窓３２の周囲に設けられた飾り部３３と、種々の表示を行うための表示装置３４とを備えている。このうち、飾り部３３としては、ランプ等の発光体を含んで構成され、入賞の報知等の演出時に発光体を点滅させるものを採用することが好ましい。また、表示装置３４としては、７セグメントＬＥＤ等により数字の表示が可能となった表示装置、あるいは、数字や文字だけでなく、画像の表示までもが可能となった液晶パネルやＣＲＴを利用した表示装置が採用できる。
【００３５】
（下部前扉４０）
下部前扉４０は、図２及び図３に示すように、本体キャビネット１０の側板１３に一端縁側が回動自在に支持され、且つ、他端縁側がラッチ装置４１によりロック可能となった扉体である。下部前扉４０の奥行き寸法、換言すると、厚さは、上部前扉３０よりも大きくされている。
ここで、前扉を構成する上部前扉３０及び下部前扉４０のうち、下部前扉４０に、後述する下パネル装置６０が装着されている。
また、図１に示すように、閉鎖状態においては、下部前扉４０は、前面が上部前扉３０の前面よりも前方に迫り出している。このため、下部前扉４０の上面は、上部前扉３０の前面から水平に突出した略水平面となっている。この下部前扉４０の上面付近には、スロットマシン１の遊技操作を行うための操作部５０が設けられている。操作部５０の下方には、当該下部前扉４０の正面部分を覆うように装着された下パネル装置６０が設けられている。さらに、下パネル装置６０の下方には、払い出されたメダルを溜めておくためのメダル受け４２が設けられている。
【００３６】
操作部５０には、右側から、下部前扉４０の施錠を行う鍵が差し込まれる鍵穴５１と、遊技用メダルが投入されるメダル投入口５２と、回転リール２４の回転を停止させるストップスイッチ５３と、メダル投入口５２に投入されたメダルのうち該ゲームに賭けるメダルの枚数を設定するためのベットスイッチ５４と、回転リール２４の回転を開始させるスタートスイッチ５５とが設けられている。
【００３７】
また、下部前扉４０の裏面側には、図２に示すように、メダル投入口５２から投入されたメダルを誘導しながらメダルの真贋を判定するためのメダルセレクタ４３が設けられている。そして、下部前扉４０の裏面下部の左右には、種々の音声を出力するためのスピーカ４４が設けられている。
【００３８】
（カバー部材）
図５に示すように、カバー部材７は、前述の如く、本体キャビネット１０の各側板１３に形成された長孔１８に遊嵌されたものである。カバー部材７には、途中に角部７１Ａ　を有し、全体が略Ｌ字状に折れ曲がった本体７１と、この本体７１の端部側面から略直角に外方に向かって突出する鍔部７２とが設けられている。
【００３９】
このうち、本体７１は、一端７３が塞がれて、この一端７３が袋部７３Ａ　を形成し、他端７４が開口され、この他端７４に開口部７４Ａ　が形成されたものとなっている。そして、本体７１の袋部７３Ａ　には、本体キャビネット１０の側板１３の内側面１３Ａ　に固定される被固定部７５が設けられている。この被固定部７５は、本体７１の側壁のうち、本体キャビネット１０の側板１３に接した側壁７１Ｂ　を、側板１３の内側面１３Ａ　に沿って、袋部７３Ａ　よりもさらに外側へ延長したものである。また、被固定部７５は、当該被固定部７５を貫通するネジ７６により、本体キャビネット１０の側板１３に取り付けられている。
【００４０】
一方、鍔部７２は、開口部７４Ａ　の開口周縁に沿って、本体７１に一体成形されたものとなっている。また、カバー部材７の本体７１の外周面７０Ａ　の下方部分と、長孔１８の内周面１８Ａ　の下方部分との間には、隙間１９が形成されている。鍔部７２は、本体キャビネット１０に設けられた側板１３の外側面１３Ｂ　に沿って配置され、且つ、前述の隙間１９を覆って隠蔽している。ここで、図５の如く、隙間１９の形成により、長孔１８には、カバー部材７が遊嵌されている。この状態で、カバー部材７が本体キャビネット１０の側板１３に固定されている。一方、カバー部材７の外周面７０Ａ　の上向きとなった上面７０Ｂ　と、本体キャビネット１０の長孔１８の下向きとなった下面１８Ｂ　とは、互いに面接触している。
【００４１】
長孔１８の内周面１８Ａ　と、本体キャビネット１０の側板１３の内側面１３Ａ　とが交差する部分は、長孔１８の下向きとなった下面１８Ｂ　の端縁をも含む部分全体が凹まされて段付部１９Ａ　となっている。段付部１９Ａ　の内周面１９Ｂ　は、長孔１８の内周面１８Ａ　よりも外側へ向かって拡張されている。ここで、段付部１９Ａ　の内周面１９Ｂ　の互いに対向する面の面間寸法Ｌは、カバー部材７の縦断面における最も太い部分である角部７１Ａ　の外法寸法Ｍよりも大きくされている。このような段付部１９Ａ　の形成により、略Ｌ字状に折れ曲がったカバー部材７の角部７１Ａ　が長孔１８に挿通可能となっている。換言すれば、長孔１８は、カバー部材７の角部７１Ａ　が挿通可能な面間寸法Ｌを有している。
【００４２】
ここで、カバー部材７は、図６に示すように、複数に分割された部品を組み合わせたものである。すなわち、カバー部材７は、複数に分割された部品として、略Ｌ字状の開口部７７を有する略容器状部品７Ａと、略Ｌ字状の開口部７７を塞ぐ蓋部品７Ｂと有するものである。
【００４３】
蓋部品７Ｂは、略容器状部品７Ａ側に向かって延びる立ち上がり部７８が、その周縁部分に設置されたものとなっている。なお、略容器状部品７Ａの開口部７４Ａ　に対応する部位については、立ち上がり部７８の設置が省略されている。立ち上がり部７８の先端縁には、立ち上がり部７８からさらに略容器状部品７Ａ側に向かって延びるとともに、互いに対向する２組の係止突起７９が設けられている。互いに対向する係止突起７９の各々には、その相手に向かって突出する鉤部８０が設けられている。また、蓋部品７Ｂの入隅部分には、内側に向かって扇形状に張り出した張り出し部８１が設けられている。張り出し部８１には、ビス８２を挿通させる挿通孔８３が形成されている。
【００４４】
一方、略容器状部品７Ａの周縁部分には、蓋部品７Ｂ側の立ち上がり部７８に対応するように階段状突部８４が設けられている。この階段状突部８４は、蓋部品７Ｂ側の立ち上がり部７８の内側に嵌り込むものとなっている。また、略容器状部品７Ａには、蓋部品７Ｂ側の係止突起７９に対応するとともに、内部に係止突起７９が収納可能な係止溝部８５が設けられている。係止溝部８５の底面には、係止突起７９の鉤部８０を係止させる係止凹部８６が設けられている。また、略容器状部品７Ａの入隅部分には、蓋部品７Ｂ側の張り出し部８１に対応した厚肉部８７が設けられている。この厚肉部８７には、張り出し部８１の挿通孔８３に挿通されたビス８２が螺合されるようになっている。
【００４５】
ここで、略容器状部品７Ａの周縁部分の階段状突部８４に、蓋部品７Ｂの立ち上がり部７８を嵌め込むとともに、蓋部品７Ｂ側の係止突起７９を略容器状部品７Ａ側の係止溝部８５に収納させて、係止突起７９の鉤部８０を係止溝部８５の係止凹部８６に係止させた状態で、略容器状部品７Ａの厚肉部８７に、張り出し部８１の挿通孔８３に挿通されたビス８２を螺合することにより、略容器状部品７Ａと蓋部品７Ｂとが強固に一体化されて、カバー部材７が形成されるようになっている。この際、カバー部材７において、作業者の手と接触する接触面８８は、その面積が充分大きく設定されるとともに、その形状として、角張った部分がない丸みを帯びたものが選択されている。また、略容器状部品７Ａには、鍔部７２の裏面と他端７４の外周面とにまたがる三角形状のリブ８９が設けられている。このリブ８９により、鍔部７２が補強されている。
【００４６】
前述のような本実施形態によれば、次のような効果が得られる。
すなわち、本体キャビネット１０の側板１３に設けられた長孔１８にカバー部材７を遊嵌するようにし、且つ、カバー部材７に設けた鍔部７２でカバー部材７と長孔１８との間の隙間１９を覆って隠蔽するようにしたので、カバー部材７の形状や寸法は、長孔１８にぴったりしたものにする必要がない。このため、カバー部材７は、スロットマシン１を運搬する際に、作業者の手と接触する接触面８８の面積が充分大きく設定でき、かつ、当該接触面８８の形状を、丸みを帯びたものにすることができる。従って、スロットマシン１がさらに重くなっても、スロットマシン１の重量により作業者の手が強く押圧されることがなく、スロットマシン１の運搬の際の苦痛から作業者を解放でき、作業者の負担を軽減することができる。
しかも、カバー部材７の設置により長孔１８が塞がれ、スロットマシン１の内部が密封されるので、長孔１８から異物を入れることができず、スロットマシン１内への異物挿入による不正行為を防止でき、いわゆる、「ゴト」を行うことを未然に防止することができる。
【００４７】
また、カバー部材７の被固定部７５を本体キャビネット１０の内部に配置し、しかも、カバー部材７の鍔部７２で隙間１９を覆って隠蔽するようにしたので、本体キャビネット１０の開口部１１を開閉する前扉３０，　４０を開けなければ、カバー部材７を本体キャビネット１０から取り外すことが著しく困難となる。このため、長孔１８を簡単には開放することができず、そこから異物を入れることも容易に行えなくなるので、この点からも、スロットマシン１内への異物挿入による不正行為を防止でき、いわゆる、「ゴト」を行うことを未然に防止することができる。
【００４８】
さらに、略Ｌ字状の開口部７７を有する略容器状部品７Ａと、この略Ｌ字状の開口部７７を塞ぐ蓋部品７Ｂとにカバー部材７を分割し、カバー部材７の寸法や形状の設定範囲及び選択範囲を広くし、運搬の際に作業者の手と接触する接触面８８の面積を充分大きく設定し、且つ、当該接触面８８の形状として、丸みを帯びたものを選択したので、運搬の際に作業者に苦痛を感じさせないカバー部材７を実現でき、作業者の負担を確実に軽減することができる。
【００４９】
また、カバー部材７を長孔１８に遊嵌させた状態において、カバー部材７の上向きとなった上面７０Ｂ　と、本体キャビネット１０の長孔１８の下向きとなった下面１８Ｂ　とを互いに面接触させ、スロットマシン１の重量により大きな押圧力がカバー部材７に加わっても、カバー部材７が変形しないようにしたので、スロットマシン１の運搬時に、カバー部材７の損傷を未然に防止することができる。
【００５０】
さらに、長孔１８の内周面１８Ａ　と、本体キャビネット１０の側板１３の内側面１３Ａ　とが交差する部分に、長孔１８の内周面１８Ａ　よりも外側へ向かって拡張された段付部１９Ａ　を設け、段付部１９Ａ　の内周面１９Ｂ　の互いに対向する面の面間寸法Ｌを、カバー部材７の縦断面における最も太い部分である角部７１Ａ　の外法寸法Ｍよりも大きくしたので、略Ｌ字状に折れ曲がったカバー部材７の角部７１Ａ　を長孔１８に挿通することができ、カバー部材７の本体キャビネット１０への取付作業を容易に行うことができる。
【００５１】
また、複数の回転リール２４及びこれらの回転リール２４を回転させるための駆動モータが設けられたリールユニット２２と、回転リール２４等の作動を制御するための主基板が設けられた基板ユニット２３とを枠体２１に設置した構成の交換ユニット２０を採用し、この交換ユニット２０を本体キャビネット１０内部に着脱可能に設けたので、スロットマシン１のうち遊技を担当する遊技担当部分である交換ユニット２０のみを本体キャビネット１０から分離することができ、交換ユニット２０のみが交換可能な分離型スロットマシン１を得ることができる。このため、スロットマシンを別の機種に交換する作業を行うにあたり、交換の必要のない本体キャビネット１０等の部分はそのまま残しておくことができ、交換作業が容易に行うことができるうえ、交換費用が軽減でき、加えて省資源、リサイクルにも貢献することができる。
【００５２】
なお、本発明は、前記実施形態に限定されるものではなく、本発明の目的を達成できる範囲における変形及び改良などをも含むものである。
例えば、前記実施形態では、長孔の内周面と、筐体に設けられている側板の内側面とが交差する部分を凹まして段付部１９Ａ　を設けたが、当該部分に設けられるのは、角張った段付部１９Ａ　に限らず、図７に示すように、長孔１８の内周面１８Ａ　と、筐体としての本体キャビネット１０の側板１３の内側面１３Ａ　とが交差する部分は、少なくとも長孔１８の下向きとなった下面１８Ｂ　の端縁を含む部分にアールが付けられて曲面とされた曲面部１９Ｃ　でもよい。
【００５３】
このような曲面部１９Ｃ　を形成すれば、図８に示すように、長孔１８の内側端縁部分における内法が拡張されるので、カバー部材７の入隅側の面を曲面部１９Ｃ　に沿わせながら、カバー部材７を長孔１８に挿入すれば、カバー部材７の角部７１Ａ　の断面寸法が他の部分よりも大きくても、角部７１Ａ　を長孔１８に通すことができ、これにより、カバー部材７を長孔１８に容易に設置することができる。
【００５４】
さらに、カバー部材としては、筐体の外側から長孔に遊嵌されるものに限らず、筐体の内側から長孔に嵌め込まれるものでもよい。
すなわち、図９に示すように、本体キャビネット１０の各側板１３に形成された長孔１８には、本体キャビネット１０の内側からカバー部材９が嵌め込まれている。カバー部材９は、途中に角部９１Ａ　を有するとともに、全体が略Ｌ字状に折れ曲がった本体９１を備えたものとなっている。この本体９１の一端９３は、塞がれて袋部９３Ａ　を形成している。また、本体９１の他端９４は開口されている。そして、本体９１の開口された他端９４の外周面９０Ａ　が、長孔１８の内周面１８Ａ　の全体と密着するように、本体９１の他端９４が長孔１８に嵌合している。
【００５５】
ここで、本体９１は、本体キャビネット１０の側板１３の内側面１３Ａ　に固定するための被固定部として、袋部９３Ａ　に設けられた被固定部９５だけでなく、角部９１Ａ　の近傍に設けられた被固定部９６をも備えている。これらの被固定部９５，９６は、当該被固定部９５，９６を貫通するネジ７６により、本体キャビネット１０の側板１３に取り付けられている。
また、カバー部材９において、作業者の手と接触する接触面８８は、前述のカバー部材７と同様に、その面積が充分大きく設定されるとともに、その形状として、角張った部分がない丸みを帯びたものが選択されている。
このようなカバー部材９を採用しても、前述のカバー部材７を採用した場合と同様の作用、効果を得ることができる。
【００５６】
また、遊技機としては、遊技を担当する遊技担当部分が分離・交換可能となった分離型のスロットマシンに限らず、遊技を担当する遊技担当部分のみの交換が不可能な一体型の遊技機でもよい。
この際、前扉としては、上部前扉及び下部前扉の二つに分割されているものに限らず、一枚に形成されているものであってもよい。
【００５７】
さらに、遊技機としては、スロットマシンに限らず、蛍光灯を備えたパチンコ遊技機や、蛍光灯を有するアーケードゲーム用の遊技機等、他の種類の遊技を行う遊技機でもよく、要するに、本発明は、運搬用の手掛かりが設けられた遊技機であれば、その種類に関係なく適用できる。
【００５８】
【発明の効果】
本発明は、以上のように構成されているので、以下に記載されるような効果を奏する。
（請求項１の効果）
請求項１記載の発明によれば、次のような効果を奏する。
すなわち、請求項１記載の発明によれば、カバー部材に設けた鍔部がカバー部材と長孔との間の隙間を覆って隠蔽するので、カバー部材は、長孔に挿通できれば、当該長孔にぴったりなものとする必要がなく、運搬の際に作業者の便宜を図れるように、その寸法や形状を適宜設定・選択することができる。例えば、カバー部材の表面のうち、運搬の際に作業者の手と接触する接触面の面積が充分大きくなるように設定し、かつ、当該接触面の形状を丸みを帯びたものにすることができる。これにより、遊技機がさらに重くなっても、遊技機の重量により作業者の手が強く押圧されることがなく、運搬の際の苦痛から作業者が解放され、作業者の負担を軽減することができる。
また、カバー部材により長孔が塞がれ、遊技機の内部が密封されるので、長孔から異物を入れることができず、遊技機内への異物挿入による不正行為が防止され、いわゆる、「ゴト」を行うことを困難にすることができる。
【００５９】
（請求項２の効果）
請求項２記載の発明によれば、上記した請求項１記載の発明の効果に加え、次のような効果を奏する。
すなわち、カバー部材の被固定部が筐体の内部に配置され、しかも、カバー部材の鍔部でカバー部材と長孔との間の隙間を覆って隠蔽するので、筐体の開口を開閉する扉を開けなければ、カバー部材は、筐体から取り外すことが困難となる。これにより、長孔は、簡単には開放できず、そこから異物を入れることも容易に行えなくなるので、この点からも、遊技機内への異物挿入による不正行為が防止され、いわゆる、「ゴト」を行うことを困難にすることができる。
【００６０】
（請求項３の効果）
請求項３記載の発明によれば、前述した請求項１又は２に記載の発明の効果に加え、次のような効果を奏する。
すなわち、請求項３記載の発明によれば、少なくとも略Ｌ字状の開口部を有する略容器状部品と、この略Ｌ字状の開口部を塞ぐ蓋部品とにカバー部材を分割できるので、金型を利用する射出成形法等の製造法を採用するにあたり、製造すべき成形品を適宜分割することにより、アンダーカット等の製造困難な部位を解消することができる。
このため、カバー部材は、その寸法や形状の設定範囲及び選択範囲を広くでき、運搬の際に作業者の手と接触する接触面の面積を充分大きく設定でき、かつ、当該接触面の形状として、丸みを帯びたものを選択でき、これにより、運搬の際に作業者に苦痛を感じさせないカバー部材を実現でき、作業者の負担を確実に軽減することができる。
【００６１】
（請求項４の効果）
請求項４記載の発明によれば、前述した請求項１又は２に記載の発明の効果に加え、次のような効果を奏する。
すなわち、請求項４記載の発明によれば、全体が一体に成形されたカバー部材を採用したので、カバー部材を複数の部品に分割する場合と異なり、カバー部材を組み立てる作業を行う必要がなく、カバー部材の製造工程の簡略化が図れ、しかも、ブロー成形法等の製造法で製造することにより、カバー部材の大量生産が可能となり、カバー部材の製造コスト、ひいては遊技機の製造コストの低減を図ることができる。
【００６２】
（請求項５の効果）
請求項５記載の発明によれば、前述した請求項１乃至４のいずれかに記載の発明の効果に加え、次のような効果を奏する。
すなわち、請求項５記載の発明によれば、重い遊技機を運搬する際に、遊技機の重量は、カバー部材を介して作業者の手に伝達される。ここで、カバー部材の上面と、長孔の下面とが面接触しているので、遊技機の重量により大きな押圧力がカバー部材に加わっても、カバー部材が変形したりせず、カバー部材の損傷を未然に防止することができる。
【００６３】
（請求項６の効果）
請求項６記載の発明によれば、前述した請求項１乃至５のいずれかに記載の発明の効果に加えて、次のような効果を奏する。
すなわち、請求項６記載の発明によれば、角部が略Ｌ字状に折れ曲がったカバー部材を採用しても、前述のようなアールが筐体側の長孔に形成され、当該長孔の内側端縁部分における内法が拡張されるので、カバー部材の他の部分よりも断面寸法が大きい角部が長孔全体を通過でき、カバー部材の長孔への挿通作業を容易に行うことができる。
【００６４】
（請求項７の効果）
請求項７記載の発明によれば、前述した請求項１乃至５のいずれかに記載の発明の効果に加えて、次のような効果を奏する。
すなわち、請求項７記載の発明によれば、請求項５記載の発明と同様に、角部が略Ｌ字状に折れ曲がったカバー部材を採用しても、前述のように凹まされた部分が筐体側の長孔に形成され、当該長孔の内側端縁部分における内法が拡張されるので、カバー部材の他の部分よりも断面寸法が大きい角部が長孔全体を通過でき、カバー部材の長孔への挿通作業を容易に行うことができる。
【００６５】
（請求項８の効果）
請求項８記載の発明によれば、前述した請求項１乃至７に記載の発明の効果に加えて、次のような効果を奏する。
すなわち、請求項８記載の発明によれば、交換ユニット、換言すれば、スロットマシンのうち遊技を担当する遊技担当部分が分離可能となるので、遊技担当部分のみが交換可能な分離型スロットマシンが得られるようになる。このため、交換の必要のない部分はそのまま残しておくことができることから交換費用がかからず、加えて省資源、リサイクルにも貢献することができる。
また、遊技担当部分を収納する本体キャビネットの上段部の開口部は、上部前扉で塞がれるようになり、且つ、長孔は、カバー部材で塞がれるようになり、上段部が完全に閉鎖されることとなる。このため、遊技機の管理者以外の者が遊技担当部分に触れることが不可能となり、上段部内への異物挿入による不正行為も防止され、この点からも、いわゆる、「ゴト」の防止をより一層図ることが可能となる。
【００６６】
（請求項９の効果）
請求項９記載の発明によれば、次のような効果を奏する。
すなわち、請求項９記載の発明によれば、カバー部材を形成する本体の前記他端が長孔にぴったりと嵌合するので、カバー部材の外周面と長孔の内周面との間の隙間が形成されず、これより、カバー部材で長孔が閉鎖され、遊技機の内部が密封される。このため、長孔から異物を入れることができず、遊技機内への異物挿入による不正行為が防止され、いわゆる、「ゴト」を未然に防止できる。
ここで、カバー部材を筐体の内側から長孔に嵌め込むようにしたので、カバー部材の角部を長孔に挿通させる必要がなく、その他端を長孔に嵌め込むことができればよく、カバー部材は、寸法や形状についての設定範囲及び選択範囲が広がる。そして、例えば、運搬の際に作業者の手と接触するカバー部材の接触面の面積を充分大きく設定し、かつ、当該接触面の形状として、丸みを帯びたものを選択することにより、運搬の際に作業者に苦痛を感じさせないカバー部材を実現でき、作業者の負担の軽減を確実に行うことができる。
【図面の簡単な説明】
【図１】本発明に係る実施の一形態の全体を示す斜視図である。
【図２】前記実施形態を示す分解斜視図である。
【図３】前記実施形態を示す、図２とは異なる状態の分解斜視図である。
【図４】前記実施形態に係る筐体を示す斜視図である。
【図５】前記実施形態に係るカバー部材を示す断面図である。
【図６】図５に示したカバー部材を示す分解斜視図である。
【図７】本発明の変形例を示す断面図である。
【図８】前記変形例の取付手順を説明するための断面図である。
【図９】本発明の異なる変形例を示す断面図である。
【符号の説明】
１　遊技機としてのスロットマシン
２　電源装置を備えた電源ユニット
３　ホッパーユニット
７，９　カバー部材
７Ａ　略容器状部品
７Ｂ　蓋部品
１０　筐体としての本体キャビネット
１０Ａ　上段部
１０Ｂ　下段部
１１　開口部
１１Ａ　開口部
１１Ｂ　開口部
１３　側板
１６　中板
１８　長孔
１８Ａ　内周面
１９　隙間
２０　交換ユニット
２１　支持体としての枠体
２２　リールユニット
２３　主基板を備えた基板ユニット
２４　回転リール
３０　前扉としての上部前扉
４０　前扉としての下部前扉
７１　本体
７１Ｂ　角部
７２　鍔部
７３Ａ　袋部
７５　被固定部
９０Ａ　外周面
９１　本体
９１Ａ　角部
９３　一端
９３Ａ　袋部
９４　他端
【図１】
2004049347.tif 000003
【図２】
2004049347.tif 000004
【図３】
2004049347.tif 000005
【図４】
2004049347.tif 000006
【図５】
2004049347.tif 000007
【図６】
2004049347.tif 000008
【図７】
2004049347.tif 000009
【図８】
2004049347.tif 000010
【図９】
2004049347.tif 000011